(57)【要約】【課題】投射映像を表示でき外側の光を内側へ透過することができる表示装置を実現する。【解決手段】表示システム(12,14)は、制御信号を生成する制御部と、制御部からの制御信号(CTL)に従って、投射される映像の通過と遮断とを時分割的に行う第１の光学的遮断装置(230, 212)と、窓側に配置され、制御部からの制御信号に従って、第１の光学的遮断装置の透過と遮断に同期して、第１の光学的遮断装置を通過した映像の表示と外側の光の透過とを時分割的に行うスクリーン装置(350)と、鏡側に配置され、制御部からの制御信号に従って、スクリーン装置の表示と透過に同期して、スクリーン装置からの光の遮断と透過とを時分割的に行う第２の光学的遮断装置(330)と、を含んでいる。【選択図】図２
2011107392.tif 000002
【特許請求の範囲】
【請求項１】
制御信号を生成する制御部と、
前記制御部からの制御信号に従って、投射される映像の通過と遮断とを時分割的に行う第１の光学的遮断装置と、
窓側に配置され、前記制御部からの制御信号に従って、前記第１の光学的遮断装置の前記通過と遮断に同期して、前記第１の光学的遮断装置を通過した前記映像の表示と外側の光の透過とを時分割的に行うスクリーン装置と、
鏡側に配置され、前記制御部からの制御信号に従って、前記スクリーン装置の前記表示と透過に同期して、前記スクリーン装置からの光の遮断と透過とを時分割的に行う第２の光学的遮断装置と、
を含む、表示システム。
【請求項２】
さらに、前記第１の光学的遮断装置の後に配置されまたは前記第１の光学的遮断装置を含み、前記スクリーン装置に向けて前記映像を投射する映像投射装置を含む、請求項１に記載の表示システム。
【請求項３】
前記スクリーン装置に前記映像が表示される期間において、前記第１の光学的遮断装置は前記映像を通過させ、前記第２の光学的遮断装置は前記スクリーン装置からの光を遮断し、
前記スクリーン装置が光を透過する期間において、前記第１の光学的遮断装置は前記映像を遮断し、前記第２の光学的遮断装置は前記スクリーン装置からの光を透過するものである、請求項１または２に記載の表示システム。
【請求項４】
前記表示システムは、さらに照度検出器を含み、
前記制御部は、前記照度検出器によって検出された照度の大きさに従って、制御信号を生成し、
前記照度の大きさが大きくなるに従って、前記制御部からの制御信号に従って、前記第２の光学的遮断装置による前記スクリーン装置からの光の遮断期間がより長くされるものである、請求項１乃至３のいずれかに記載の表示システム。
【請求項５】
前記スクリーン装置は、印加電圧に応じて、前記表示のために光を散乱させる散乱状態と、光を透過させる透過状態とをとるものである、請求項１乃至４のいずれかに記載の表示システム。
【請求項６】
制御部、第１の光学的遮断装置、窓側に配置されるスクリーン装置、および鏡側に配置される第２の光学的遮断装置を含む表示システムを制御する方法であって、
前記第１の光学的遮断装置に、投射映像の通過と遮断とを時分割的に行わせる工程と、
前記第１の光学的遮断装置の前記通過と遮断に同期して、前記スクリーン装置に、前記第１の光学的遮断装置を通過した前記映像の表示と外側の光の透過とを時分割的に行わせる工程と、
前記スクリーン装置の前記表示と透過に同期して、前記第２の光学的遮断装置に、前記スクリーン装置からの光の遮断と透過とを時分割的に行わせる工程と、
を含む方法。
【発明の詳細な説明】
【技術分野】
【０００１】
本発明は、表示装置に関し、特に、時分割的に、投射された映像を表示し外側の光を透過することができる表示システムに関する。
【背景技術】
【０００２】
自動車の通常の表示器とは別にリア・ウィンドウ（後部窓）付近に設けた表示装置を用いて、自動車の運転中に、自己の自動車を割り込みさせてくれた他の自動車に謝意を表すメッセージを表示し、また後続の自動車にブレーキをかけていることを強調的に表すメッセージを表示することが、考えられている。
【０００３】
既知の或る視線一致型の画像表示装置は、画像を投影する投影手段とその投影手段からの投影光を結像する表示スクリーン手段とを含んでいる。その画像表示装置は、その表示スクリーン手段を挾んで表示画像を観察する観察者と対向する位置に設定された撮影手段と、その表示スクリーン手段に印加される電気信号により光の透過状態を制御する制御手段と、その制御手段によりその表示スクリーン手段の光透過状態と光不透過状態を交互に切替え、光透過状態時にその撮影手段への起動を行い、かつ、その表示スクリーン手段が光透過状態時にその投影手段の画像投影を中断する手段と、を含んでいる。周期的に変動する観察者側の周囲光強度を検出してその周囲光強度が所定の値に到達したときに、撮影手段による画像入力が行われる。
【０００４】
既知の表示撮像装置では、スクリーンの裏面斜め後方にプロジェクタを配置して、ビデオ・カメラをスクリーン裏面に垂直に配置できるようにし、互いの配置により生じる投射映像や撮影像の光路の妨害をなくす。この時、スクリーンへの斜め後方からの投射映像の台形歪みを、逆台形歪み補正回路により予め逆補正し、正しい映像が表示されるようにする。これにより、投射と撮影の光軸をスクリーン面で一致させて対話者同士の視線を一致させると共に、斜め方向からの投射によって前面の対話者にプロジェクタの光源等の光が直接入り込まないようにする。又、プロジェクタとスクリーンの間にマスクを設け、撮影期間だけ遮光して光源等の映り込みを防止し、クリーンな撮影像を得る。それによって、対話者同士の視線を一致させ、同一場所で対話する感覚を味わえる表示空間を実現する。
【０００５】
既知の三次元表示方法では、観察者の左眼および右眼のそれぞれに対して、奥行き位置の異なる複数の表示面を配置し、その複数の表示面に二次元像をそれぞれ表示して、三次元立体像を表示する。その表示方法は、表示対象物体をその観察者の左眼および右眼から見た視差像から、その観察者の左眼および右眼に対する各表示面に表示される二次元像がその観察者の左眼および右眼から見て重なるようにされた左眼および右眼用の複数の二次元像を生成し、その観察者の左眼および右眼に対する各表示面に表示される二次元像の輝度を、各表示面毎に各々独立に変化させて、その観察者の左眼および右眼に対する各表示面に、その左眼および右眼用の二次元像を表示する。それによって、立体視の生理的要因間での矛盾を抑制でき、かつ電気的に書換えできで、動画表示ができる。
【０００６】
既知の立体画像の表示装置では、対応する左目画像及び右目画像を連続して交互に表示し、例えば偏光フィルタを使用することによって実質的に左目画像から観察者の右目への光線の透過及び右目画像から観察者の左目への光線の透過を消光させ、交互に且つその交互の画像表示と同期して、観察者の右目に漏れるその左目画像からの消光していない光線及び観察者の左目に漏れるその右目画像からの消光していない光線を散乱させることによって、立体画像を表示する。散乱は画像の表示と同期化して電気的にトリガされる液晶散乱シャッタを使用することによって実行される。シャッタは、装置に漏れる消光されていない光線を分散させ、従って、画像情報は知覚されず、光線は単に背景照度の僅かな増加として現れる。
【先行技術文献】
【特許文献】
【０００７】
【特許文献１】特許第３０１１４３９号公報（特開平４−０９６５８１号公報）
【特許文献２】特開平６−１３３３１１号公報
【特許文献３】特開２０００−３３３２１１号公報
【特許文献４】特許３４１１２８１号公報
【特許文献５】特開平８−０９４６６３号公報（特許第３０２０４２６号公報）
【特許文献６】特開２００１−０３９２１２号公報
【特許文献７】特開平５−１１３７４２号公報
【特許文献８】特開平３−１２１９４２号公報（特許第２８１７２６４号公報）
【発明の概要】
【発明が解決しようとする課題】
【０００８】
通常の表示装置を自動車のリア・ウィンドウ付近に配置すると、その表示装置によってドライバの後方の視野が狭くなる。また、自動車のリア・ウィンドウに透明材料のホログラム素子を配置すると、後方の視野を確保できるが、再生光の波長または入射角のずれによって表示メッセージの一部がドライバに見えて後方の視認が低下することがある。例えば夜間において外部が暗い状態でそのような視認性の低下が顕著になる。
【０００９】
発明者たちは、内側から投影された映像に同期してスクリーンを時分割的に不透明にし、残りの時間に外側の光を内側へ透過するようにスクリーンを透明にするよう制御することによって、自動車のドライバの後方の視認性を確保しつつ、スクリーンに投射画像を表示することができる、と認識した。
【００１０】
本発明の目的は、投射映像を表示でき外側の光を透過することができる表示システムを実現することである。
【課題を解決するための手段】
【００１１】
本発明の実施形態の一観点（特徴）によれば、表示システムは、制御信号を生成する制御部と、その制御部からの制御信号に従って、投射される映像の通過と遮断とを時分割的に行う第１の光学的遮断装置と、窓側に配置され、その制御部からの制御信号に従って、その第１の光学的遮断装置のその通過と遮断に同期して、その第１の光学的遮断装置を通過したその映像の表示と外側の光の透過とを時分割的に行うスクリーン装置と、鏡側に配置され、その制御部からの制御信号に従って、そのスクリーン装置のその表示と透過に同期して、そのスクリーン装置からの光の遮断と透過とを時分割的に行う第２の光学的遮断装置と、を含んでいる。
【発明の効果】
【００１２】
本発明の実施形態の一観点によれば、内側の投射映像を表示でき外側の光を内側へ透過することができる表示システムを実現することができる。
【図面の簡単な説明】
【００１３】
【図１Ａ】図１Ａは、本発明の実施形態による、メッセージ表示システムの概略的構成の例を示している。
【図１Ｂ】図１Ｂは、本発明の別の実施形態による、メッセージ表示システムの概略的構成の例を示している。
【図２】図２は、図１Ａおよび１Ｂのメッセージ表示システムの概略的なブロック図の例を示している。
【図３】図３Ａ〜３Ｃは、照度センサによって検出された照度の大きさが中間の場合の、図２の映像／外光切換制御装置によって生成されるパルス信号の波形の例を示している。  図４Ａ〜４Ｃは、照度センサによって検出された照度の大きさが大きい（外が明るい）場合の、図２の映像／外光切換制御装置によって生成されるパルス信号の例を示している。  図５Ａ〜５Ｃは、照度センサによって検出された照度の大きさが小さい（外が暗い）場合の、図２の映像／外光切換制御装置によって生成されるパルス信号の波形の例を示している。
【図６】図６は、情報処理機器によって実行される、メッセージ表示のための制御のフローチャートの例を示している。
【発明を実施するための形態】
【００１４】
発明の目的および利点は、請求の範囲に具体的に記載された構成要素および組み合わせによって実現され達成される。
前述の一般的な説明および以下の詳細な説明は、典型例および説明のためのものであって、本発明を限定するためのものではない。
【００１５】
本発明の非限定的な実施形態を、図面を参照して説明する。図面において、同様のコンポーネントおよび素子には同じ参照番号が付されている。
【００１６】
図１Ａは、本発明の実施形態による、メッセージ表示システム１２の概略的構成（configuration）の例を示している。
【００１７】
図１Ｂは、図１Ａの変形形態であり、本発明の別の実施形態による、メッセージ表示システム１４の概略的構成（configuration）の例を示している。
【００１８】
図２は、図１Ａおよび１Ｂのメッセージ表示システム１２または１４の概略的なブロック図の例を示している。
【００１９】
図１Ａおよび２を参照すると、特に自動車２に適したメッセージ表示システム１２は、外部照度検出用の照度センサ１２０と、例えば液晶シャッタ装置のようなシャッタ装置３３０と、例えば液晶透過型リア・スクリーン装置のようなスクリーン装置３５０と、プロジェクタ２１０と、例えば液晶シャッタ装置のようなシャッタ装置２３０と、を含んでいる。プロジェクタ２１０は、例えば表示用の液晶パネルおよびレンズを含んでいてもよい（図示せず）。シャッタ装置２３０は、プロジェクタ２１０の出射口の前に配置されている。スクリーン装置３５０は、自動車２のリア・ウィンドウ３０の内側に配置されている。シャッタ装置３３０は、ルーム・ミラー４０の前側（反射面側）に配置されている。液晶シャッタ装置および液晶透過型リア・スクリーン装置は、印加電圧に応じて、光学的な散乱状態と透過状態の２つの状態を取る。液晶シャッタ装置および液晶透過型リア・スクリーン装置は、例えば電圧の印可と非印加に応じて透過状態と不透過状態をとる日本板硝子製ウムフィルム（調光ガラス）を用いてもよい。液晶シャッタ装置は、例えば、高速液晶シャッタ装置であってもよい。
【００２０】
メッセージ表示システム１２は、さらに、表示メッセージの選択のための情報処理機器２００、および内側の映像の投射と外側の光または景色の内側への透過とを切り換えるための映像／外光切換制御装置３００を含んでいる。要素２１０、２３０、３３０、３５０、２００および３００は、電源（図示せず）から供給電力を受け取る。情報処理機器２００は、パーソナル・コンピュータ、またはカー・ナビゲーション・システムであってもよい。
【００２１】
情報処理機器２００は、ユーザまたはドライバの操作ＯＰに従って、プロジェクタ２１０に表示情報を供給する。また、情報処理機器２００は、その操作に従って、照度センサ１２０の照度の大きさに応じて、映像／外光切換制御装置３００に制御信号ＣＴＬを供給する。さらに、情報処理機器２００は、その操作に従って、要素２１０、２３０、３５０および３３０に制御信号ＣＴＬを供給する。
【００２２】
映像／外光切換制御装置３００は、情報処理機器２００からの制御信号ＣＴＬとしてのオン／オフ制御信号およびデューティ比に従って、シャッタ装置２３０、シャッタ装置３３０およびスクリーン装置３５０を駆動するための、対応するデューティ比を有するパルス信号ＰＳ＿Ａ、ＰＳ＿Ｂ、およびＰＳ＿Ｃを生成する。
【００２３】
シャッタ装置２３０は、パルス信号ＰＳ＿Ａに応答して、プロジェクタ２１０からの投射映像を時分割的に透過させ遮断する。スクリーン装置３５０は、パルス信号ＰＳ＿Ｃに応答して、時分割的に、光を散乱するように白濁してプロジェクタ２１０からシャッタ装置２３０を通過した投射映像を写映し、透明化して自動車２の外側から室内への光を透過させる。シャッタ装置３３０は、パルス信号ＰＳ＿Ｂに応答して、時分割的に、リア・ウィンドウ３０およびスクリーン装置３５０を透過したルーム・ミラー４０による外側の光または景色の反射を透過し、ルーム・ミラー４０へのスクリーン装置３５０の画像の入射を遮断する。
【００２４】
情報処理機器２００は、状態信号ＳＴを受け取って、それに応じてプロジェクタ２１０またはＤＬＰプロジェクタ２１２用、および映像／外光切換制御装置３００用の制御信号ＣＴＬを生成してもよい。情報処理機器２００は、操作キーを含む入力装置１１０および表示装置１１２を含んでいる。状態信号ＳＴは、自動車２の動作状態、例えば、エンジン・キーの挿脱、エンジンの起動／停止、自動車２の加速／減速、ブレーキの動作、ハンドル操作、方向指示器の動作、等の状態を表す信号である。プロジェクタ２１０またはＤＬＰプロジェクタ２１２は、情報処理機器２００からの表示情報に従って、表示メッセージを表す映像をスクリーン装置３５０に投射する。映像／外光切換制御装置３００は、情報処理機器２００からの制御信号ＣＴＬに従って、プロジェクタ２１０またはＤＬＰプロジェクタ２１２のＤＭＤ、シャッタ装置３３０、およびスクリーン装置３５０の駆動用のパルス信号ＰＳ＿Ａ、ＰＳ＿ＢおよびＰＳ＿Ｃを生成してもよい。
【００２５】
図２において、情報処理機器２００は、制御部１００、入力装置１１０、表示装置１１２、メモリ２０２、メッセージ生成部２０４を含んでいる。メモリ２０２は、プログラム記憶領域、データ記憶領域、および表示情報記憶領域を含んでいる。制御部１００は、プロセッサまたはマイクロコンピュータであってもよい。制御部１００の制御機能は、ハードウェアとして集積回路の形態で実装されても、メモリ２０２に格納されるプログラムの形態で実装されていてもよい。この場合、制御部１００は、メモリ２０２に格納されるプログラムに従って動作する。
【００２６】
制御部１００は、ユーザによって入力装置１１０を介して入力または選択された表示メッセージに関する入力情報を、メモリ２０２のメッセージ記憶領域に格納し、メッセージ生成部２０４に供給する。制御部１００は、入力情報に従って、制御信号ＣＴＬとしてメッセージ選択情報をメッセージ生成部２０４に供給してもよい。代替的におよび／または追加的に、制御部１００は、状態信号ＳＴに従って、制御信号ＣＴＬとしてメッセージ選択情報をメッセージ生成部２０４に供給してもよい。メッセージ生成部２０４は、制御部１００の制御の下で、入力情報をメモリ２０２のメッセージ記憶領域に格納し、メモリ２０２のメッセージ記憶領域から表示メッセージを取り出し、プロジェクタ２１０に供給する。メッセージ生成部２０４は、指定または選択されたメッセージを表す映像信号を生成する。メッセージ生成部２０４は、例えば、指定または選択された“ありがとう”、“急ブレーキ”、“渋滞中”、“右折”、“車間距離をあけて下さい”のようなメッセージを表す映像信号を生成する。プロジェクタ２１０は、その映像信号によって表される映像を内部の液晶パネル上に生成し表示してスクリーン装置３５０に向けて投射する。
【００２７】
映像／外光切換制御装置３００は、発振器（ＯＳＣ）３０２、３２２および３４２、デューティ比調整器またはパルス幅変調器（ＰＷＭ）３０４、３２４および３４４、および増幅器（ＡＭＰ）３０６、３２６および３４６を含んでいる。
【００２８】
発振器３０２、３２２および３４２は、情報処理装置２００の制御部１００からの制御信号ＣＴＬとしてのオン／オフ制御信号に従って、起動しまたは停止し、例えば５０Ｈｚ、６０Ｈｚまたは７０Ｈｚのような周期的なパルス信号を生成してデューティ比調整器３０４、３２４および３４４に供給する。デューティ比調整器３０４、３２４および３４４は、情報処理装置２００の制御部１００からの制御信号ＣＴＬとしてのデューティ比を表す信号に従って、発振器３０２、３２２および３４２のパルス信号のデューティ比を調整して、調整されたデューティ比を有するパルス信号を生成し増幅器３０６、３２６および３４６に供給する。増幅器３０６、３２６および３４６は、デューティ比調整器３０４、３２４および３４４からのパルス信号を増幅して駆動用のパルス信号ＰＳ＿Ａ、ＰＳ＿ＢおよびＰＳ＿Ｃをシャッタ装置２３０、シャッタ装置３３０、スクリーン装置３５０に供給する。パルス信号ＰＳ＿Ｃは、デューティ比調整器３２４からのパルス信号を増幅器３２６によって増幅したものであっても、パルス信号ＰＳ＿Ｂと同じであってもよい。
【００２９】
図１Ｂおよび２を参照すると、メッセージ表示システム１４は、要素１２０、２００、３００、３３０および３５０に加えて、図１Ａのプロジェクタ２１０およびシャッタ装置２３０の代わりにＤＬＰ（Digital Light Processing）プロジェクタ２１２を含んでいる。ＤＬＰプロジェクタ２１２は、光源、ダイクロイック・フィルタ、ピクセル単位で光源の光をスクリーン装置３５０へ向けて反射させおよびスクリーン装置３５０から逸らするためのＤＭＤ（Digital Micromirror Device）、および複数のレンズを含んでいる。
【００３０】
この場合、情報処理機器２００はＤＬＰプロジェクタ２１２に表示情報および制御信号ＣＴＬを供給する。ＤＬＰプロジェクタ２１２は、パルス信号ＰＳ＿Ａに応答して、映像を生成して投射しまたはその生成を停止する。
【００３１】
情報処理機器２００は、自動車２の状態信号ＳＴを受け取って、それに応じてＤＬＰプロジェクタ２１２用の制御信号ＣＴＬを生成してもよい。ＤＬＰプロジェクタ２１２は、情報処理機器２００からの表示メッセージに従って、表示メッセージを表す映像をスクリーン装置３５０に投射する。映像／外光切換制御装置３００は、情報処理機器２００からの制御信号ＣＴＬに従って、ＤＬＰプロジェクタ２１２のＤＭＤの駆動用のパルス信号ＰＳ＿Ａを生成し、ＤＬＰプロジェクタ２１２に供給する。
【００３２】
図３Ａ〜３Ｃは、照度センサ１２０によって検出された照度の大きさが中間の大きさの場合の、図２の映像／外光切換制御装置３００によって生成されるパルス信号ＰＳ＿Ａ、ＰＳ＿Ｃ、ＰＳ＿Ｂの波形の例を示している。
【００３３】
図４Ａ〜４Ｃは、照度センサ１２０によって検出された照度の大きさが大きい（外が明るい）場合の、図２の映像／外光切換制御装置３００によって生成されるパルス信号ＰＳ＿Ａ、ＰＳ＿Ｃ、ＰＳ＿Ｂの波形の例を示している。
【００３４】
図５Ａ〜５Ｃは、照度センサ１２０によって検出された照度の大きさが小さい（外が暗い）場合の、図２の映像／外光切換制御装置３００によって生成されるパルス信号ＰＳ＿Ａ、ＰＳ＿Ｃ、ＰＳ＿Ｂの波形の例を示している。
【００３５】
図３Ａ、４Ａおよび５Ａにおいてパルス信号ＰＳ＿Ａが高レベルＨのとき、図３Ｂ、４Ｂおよび５Ｂにおいてパルス信号ＰＳ＿Ｃが低レベルＬになり、図３Ｃ、４Ｃおよび５Ｃにおいてパルス信号ＰＳ＿Ｂが低レベルＬになる。図３Ａ、４Ａおよび５Ａにおいてパルス信号ＰＳ＿Ａが低レベルＬのとき、図３Ｂ、４Ｂおよび５Ｂにおいてパルス信号ＰＳ＿Ｃが高レベルＨになり、図３Ｃ、４Ｃおよび５Ｃにおいてパルス信号ＰＳ＿Ｂが高レベルＨになる。
【００３６】
図３Ａ、４Ａおよび５Ａにおいて、パルス信号ＰＳ＿Ａが高レベルＨのとき、シャッタ装置２３０またはＤＬＰプロジェクタ２１２（ＤＭＤ）は、開状態または通過状態になって映像をスクリーン装置３５０に投射させる。図３Ｂ、４Ｂおよび５Ｂにおいて、パルス信号ＰＳ＿Ｃが低レベルＬのとき、スクリーン装置３５０は、閉状態または光学的散乱状態になって投射された映像を映す。図３Ｃ、４Ｃおよび５Ｃにおいて、パルス信号ＰＳ＿Ｂが低レベルＬのとき、シャッタ装置３３０は、閉状態になってスクリーン装置３５０上の映像のルーム・ミラー４０への入射を遮断する。それによって、メッセージ表示による眩しさを防止する。
【００３７】
図３Ａ、４Ａおよび５Ａにおいて、パルス信号ＰＳ＿Ａが低レベルＬのとき、シャッタ装置２３０またはＤＬＰプロジェクタ２１２は、閉状態または遮断状態になって映像の投射を遮断する。図３Ｂ、４Ｂおよび５Ｂにおいて、パルス信号ＰＳ＿Ｃが高レベルＨのとき、スクリーン装置３５０は、開状態または光学的透過状態になって外からの光または景色を透過する。図３Ｃ、４Ｃおよび５Ｃにおいて、パルス信号ＰＳ＿Ｂが高レベルＨのとき、シャッタ装置３３０は、開状態または透過状態になってスクリーン装置３５０を透過した光または景色のルーム・ミラー４０への入射およびルーム・ミラー４０による反射を透過する。
【００３８】
図３Ａ〜３Ｃに示されているように、照度センサ１２０によって検出された照度の大きさが中間の場合、パルス信号ＰＳ＿Ａ、ＰＳ＿ＣおよびＰＳ＿Ｂのデューティ比またはパルス幅はそれぞれ中間状態を示す。それによって、スクリーン装置３５０によるメッセージ表示と透過が時分割的に等しい時間的割合で行われる。
【００３９】
図４Ａ〜４Ｃに示されているように、照度センサ１２０によって検出された照度の大きさが大きい場合、パルス信号ＰＳ＿Ａのデューティ比またはパルス幅は大きく、ＰＳ＿ＣおよびＰＳ＿Ｂのデューティ比またはパルス幅は小さい。それによって、スクリーン装置３５０によるメッセージ表示と透過が、表示時間が透過時間より長くなる割合で行われる。それによって、外の景色が明るい場合に、スクリーン装置３５０上の投射映像をより明るく表示することができる。
【００４０】
図５Ａ〜５Ｃに示されているように、照度センサ１２０によって検出された照度の大きさが小さい場合、パルス信号ＰＳ＿Ａのデューティ比またはパルス幅は小さく、ＰＳ＿ＣおよびＰＳ＿Ｂのデューティ比またはパルス幅は大きい。それによって、スクリーン装置３５０によるメッセージ表示と透過が、表示時間が透過時間より短くなる割合で行われる。それによって、外の景色が暗い場合に、スクリーン装置３５０を通して入射されルーム・ミラー４０に映る外側の景色をより明るくすることができる。
【００４１】
図６は、情報処理機器２００によって実行される、メッセージ表示のための制御のフローチャートの例を示している。
【００４２】
図６を参照すると、ステップ５０２において、情報処理機器２００の制御部１００は、入力情報ＯＰおよび状態信号ＳＴの入力状態を参照してメッセージ表示の状態がオン状態かどうかを判定する。メッセージ表示の状態がオン状態であると判定された場合は、手順はステップ５０４に進む。メッセージ表示の状態がオン状態でない、即ちオフ状態であると判定された場合は、手順はステップ５２６に進む。
【００４３】
ステップ５０４において、制御部１００は、ユーザによる入力情報ＯＰに従ってまたは自動車２の状態信号ＳＴに応じて、メモリ２０２のメッセージ記憶領域から表示すべきメッセージを選択する。１つ以上のメッセージが、ユーザによってメモリ２０２のメッセージ記憶領域に格納されてもよい。
【００４４】
ステップ５０６において、制御部１００は、照度センサ１２０から照度の大きさを表す信号を取得する。ステップ５０８において、制御部１００は、照度の大きさに応じてパルス信号ＰＳ＿Ａ、ＰＳ＿ＢおよびＰＳ＿Ｃのデューティ比を決定する。
【００４５】
ステップ５１０において、制御部１００は、プロジェクタ２１０またはＤＬＰプロジェクタ２１２、および映像／外光切換制御装置３００を起動する。ステップ５１１において、制御部１００は、デューティ比を表す制御信号ＣＴＬを映像／外光切換制御装置３００に供給する。映像／外光切換制御装置３００は、デューティ比に応じてパルス幅調整されたパルス信号ＰＳ＿Ａ、ＰＳ＿ＢおよびＰＳ＿Ｃを供給する。
【００４６】
ステップ５１２において、制御部１００は、入力情報ＯＰおよび状態信号ＳＴの入力状態を参照してメッセージ表示がオフ状態かどうかを判定する。メッセージ表示がオフ状態であると判定された場合は、手順はステップ５２４に進む。ステップ５１１（パルス発生）〜５１２は、メッセージ表示がオフ状態であると判定されるまで繰り返される。
【００４７】
ステップ５２４において、制御部１００は、プロジェクタ２１０またはＤＬＰプロジェクタ２１２、および映像／外光切換制御装置３００を停止して、投射映像およびパルス信号ＰＳ＿Ａ、ＰＳ＿ＢおよびＰＳ＿Ｃの発生を停止させる。
【００４８】
ステップ５２６において、制御部１００は、状態信号ＳＴに基づいて、自動車２の運転が終了したかまたはエンジン・キーがオフ状態かを判定する。自動車２の運転が終了したと判定された場合は、手順は図６のルーチンを出る。自動車２の運転が終了していないと判定された場合は、手順は図６のステップ５０２に戻る。
【００４９】
ここで挙げた全ての例および条件的表現は、発明者が技術促進に貢献した発明および概念を読者が理解するのを助けるためのものであり、ここで具体的に挙げたそのような例および条件に限定することなく解釈すべきである。また、明細書におけるそのような例の編成は本発明の優劣を示すこととは関係ない。本発明の実施形態を詳細に説明したが、本発明の精神および範囲から逸脱することなく、それに対して種々の変更、置換および変形を施すことができると理解すべきである。
【符号の説明】
【００５０】
１２、１４  メッセージ表示システム
３０  リア・ウィンドウ
４０  ルーム・ミラー
１２０  照度センサ
２００  情報処理機器
１００  制御部
１１０  入力装置
１１２  表示装置
２０２  メモリ
２０４  メッセージ生成部
２１０  プロジェクタ
２１２  ＤＬＰプロジェクタ
２３０  シャッタ装置
３００  映像／外光切換制御装置
３３０  シャッタ装置
３５０  スクリーン装置
【図１Ａ】
2011107392.tif 000003
【図１Ｂ】
2011107392.tif 000004
【図２】
2011107392.tif 000005
【図３】
2011107392.tif 000006
【図６】
2011107392.tif 000007
【手続補正書】
【提出日】平成21年11月18日(2009.11.18)
【手続補正１】
【補正対象書類名】明細書
【補正対象項目名】００１３
【補正方法】変更
【補正の内容】
【００１３】
【図１Ａ】図１Ａは、本発明の実施形態による、メッセージ表示システムの概略的構成の例を示している。
【図１Ｂ】図１Ｂは、本発明の別の実施形態による、メッセージ表示システムの概略的構成の例を示している。
【図２】図２は、図１Ａおよび１Ｂのメッセージ表示システムの概略的なブロック図の例を示している。
【図３】図３Ａ〜３Ｃは、照度センサによって検出された照度の大きさが中間の場合の、図２の映像／外光切換制御装置によって生成されるパルス信号の波形の例を示している。  図４Ａ〜４Ｃは、照度センサによって検出された照度の大きさが大きい（外が明るい）場合の、図２の映像／外光切換制御装置によって生成されるパルス信号の例を示している。  図５Ａ〜５Ｃは、照度センサによって検出された照度の大きさが小さい（外が暗い）場合の、図２の映像／外光切換制御装置によって生成されるパルス信号の波形の例を示している。
【図４】図６は、情報処理機器によって実行される、メッセージ表示のための制御のフローチャートの例を示している。
【手続補正２】
【補正対象書類名】図面
【補正対象項目名】図６
【補正方法】削除
【補正の内容】
【手続補正３】
【補正対象書類名】図面
【補正対象項目名】図４
【補正方法】追加
【補正の内容】
【図４】
2011107392.tif 000008